(57)【要約】【課題】ディスプレイ部に設けられた光源から放出された光を導光体により導き、ディスプレイ部がスライドすることで露出する挿排口を照明することができる車載用電子機器を提供する。【解決手段】本体部４と、本体部４の正面部にスライド可能に設けられたディスプレイ部６と、を有し、ディスプレイ部６がスライドすることで本体部４に設けられたディスク８用の挿排口が露出するナビゲーション装置１であって、ディスプレイ部６のバックライトであるＬＥＤライト１３と、導光体１６と、を備え、ＬＥＤライト１３から放出された光が導光体１６内を通過し、露出した挿排口を照明する。【選択図】図５
2020157885.tif 000002
【特許請求の範囲】
【請求項１】
本体部と、前記本体部の正面部にスライド可能に設けられたディスプレイ部と、を有し、前記ディスプレイ部がスライドすることで前記本体部に設けられた記憶媒体用の挿排口が露出する車載用電子機器であって、
前記ディスプレイ部のバックライトである光源と、
導光体と、を備え、
前記光源から放出された光が前記導光体内を通過し、露出した前記挿排口を照明することを特徴とする車載用電子機器。
【請求項２】
前記導光体が、前記ディスプレイ部方向と、前記挿排口方向に分岐していることを特徴とする請求項１に記載の車載用電子機器。
【発明の詳細な説明】
【技術分野】
【０００１】
本発明は、ディスプレイ部がスライドすることで露出する挿排口を照明する車載用電子機器に関する。
【背景技術】
【０００２】
従来、車両に搭載される電子機器の照明構造であって、ディスプレイ部がパネル部から回動されて、ディスプレイ部の表面が上部面になるように開放され、パネル部に配設された挿排口と操作釦の近傍が、ディスプレイ部に設けられたバックライトの点灯によるＬＣＤパネルの照明とＬＣＤパネルからの出射光により照明されるようにしたものが知られている（例えば、特許文献１参照）。
【先行技術文献】
【特許文献】
【０００３】
【特許文献１】特許第４１８０３４１号公報
【発明の概要】
【発明が解決しようとする課題】
【０００４】
しかしながら、ディスプレイ部が上側等に直線的にスライドし、挿排口が露出する電子機器であって、ディスプレイ部が挿排口の方向に向かないものの場合、ディスプレイ部に設けられたバックライトの光により挿排口を照明することができないという問題があった。
【０００５】
そこで、本発明は以上の問題点を解決し、ディスプレイ部がスライドし、挿排口が露出した場合に、ディスプレイ部に設けられたバックライトである光源から放出された光を導光体により導き、挿排口を照明することができる車載用電子機器を提供することを目的とする。
【課題を解決するための手段】
【０００６】
本発明に係る車載用電子機器は、本体部と、前記本体部の正面部にスライド可能に設けられたディスプレイ部と、を有し、前記ディスプレイ部がスライドすることで前記本体部に設けられた記憶媒体用の挿排口が露出する車載用電子機器であって、前記ディスプレイ部のバックライトである光源と、導光体と、を備え、前記光源から放出された光が前記導光体内を通過し、露出した前記挿排口を照明することを特徴とする。
【０００７】
また、本発明に係る車載用電子機器は、前記導光体が、前記ディスプレイ部方向と、前記挿排口方向に分岐していることを特徴とする。
【発明の効果】
【０００８】
本発明により、ディスプレイ部に設けられた光源の光を導光体により導き、ディスプレイ部がスライドすることで露出する挿排口を照明することができる。
【図面の簡単な説明】
【０００９】
【図１】実施例１のディスプレイ部が閉状態のナビゲーション装置の正面図である。
【図２】実施例１のディスプレイ部が開状態のナビゲーション装置の正面図である。
【図３】実施例１のディスプレイ部が閉状態のナビゲーション装置の左側面図である。
【図４】実施例１のディスプレイ部が開状態のナビゲーション装置の左側面図である。
【図５】実施例１のディスプレイ部の縦断面図である。
【図６】実施例１のナビゲーション装置の電気的構成を示すブロック図である。
【図７】実施例１のＬＥＤライトの輝度の状態を示す表である。
【図８】実施例２のディスプレイ部が開状態のナビゲーション装置の正面図である。
【図９】実施例３のディスプレイ部が開状態のナビゲーション装置の正面図である。
【図１０】実施例３のＬＥＤライトの輝度の状態を示す表である。
【発明を実施するための形態】
【００１０】
以下、本発明の実施例について、添付の図１〜図１０を参照して説明する。以下に説明する実施例は、特許請求の範囲に記載された本発明の内容を限定するものではない。また、以下に説明される構成の全てが、本発明の必須要件であるとは限らない。
【実施例１】
【００１１】
図１〜図７は本発明の実施例１を示している。図３及び図４に示すように、本実施例の車載用電子機器であるナビゲーション装置１は、車両（図示せず）のインストルメントパネル３等の車両内装部材に取り付けられる本体部４と、この本体部４の正面部５に設けられたディスプレイ部６とを有する。尚、本体部４は少なくとも一部をインストルメントパネル３に内蔵されて取り付けられる。
【００１２】
本体部４は、ＣＰＵ（中央演算装置）や記憶装置等、ナビゲーション装置１の各種機能を実現するための制御装置７を内蔵している。本体部４の正面部５の下部には、記憶媒体であるＳＤカード（図示せず）やディスク８（ＣＤ、ＤＶＤ等）を出し入れする挿排口９Ａ，９Ｂが左右に２箇所設けられている。左側の挿排口９ＡがＳＤカード用であり、右側の挿排口９Ｂがディスク８用である。
【００１３】
図１及び図２に示すように、ディスプレイ部６は、枠体１０と表示部１１を有している。枠体１０の下部には、操作部である操作ボタン１２Ａ，１２Ｂ，１２Ｃ，１２Ｄ，１２Ｅが左右方向に５つ並んで設けられている。本実施例の操作ボタン１２Ａ，１２Ｂ，１２Ｃ，１２Ｄ，１２Ｅは、いわゆるハードキーであり、押動操作による入力機能を有する。
【００１４】
表示部１１は、地図情報やナビゲーション装置１の現在位置等の様々な表示を行なう液晶パネルにより構成されている。また、表示部１１はタッチパネルを採用しており、タッチ操作による入力機能を有する。
【００１５】
図１は、ディスプレイ部６の閉状態を示しており、この状態から開閉ボタン１２Ａを押動操作すると、ディスプレイ部６が上側に直線的にスライドし、図２に示す開状態で停止する。この開状態のときに挿排口９Ａ，９Ｂが露出し、ＳＤカードやディスク８を挿入及び排出可能となる。開状態のときに開閉ボタン１２Ａを押動操作すると、ディスプレイ部６が下側にスライドし、図１に示す閉状態で停止する。
【００１６】
操作ボタン１２Ａ，１２Ｂ，１２Ｃ，１２Ｄ，１２Ｅは、合成樹脂により形成されており、操作ボタン１２Ａ，１２Ｂ，１２Ｃ，１２Ｄ，１２Ｅに付された文字部分が透光性を有している。そのため、ディスプレイ部６に内蔵されるバックライトとしての光源であるＬＥＤライト１３（図５参照）の光が文字部分を透過し、外部に放出するようになっており、夜間等周囲が暗い場合であっても、車両の乗員が操作ボタン１２Ａ，１２Ｂ，１２Ｃ，１２Ｄ，１２Ｅの位置や種類を視認可能となっている。
【００１７】
本実施例のＬＥＤライト１３は、各操作ボタン１２Ａ，１２Ｂ，１２Ｃ，１２Ｄ，１２Ｅを照明するため、５つ設けられている。操作ボタン１２Ａ，１２Ｂ，１２Ｃ，１２Ｄは、導光体１６により導かれたＬＥＤライト１３の光により照明され、操作ボタン１２Ｅは、直接ＬＥＤライト１３の光により照明される。
【００１８】
ディスプレイ部６の底面部１４には、ＬＥＤライト１３から放出された光をディスプレイ部６の外部下方向に放出するための開口部１５Ａ，１５Ｂが２箇所に形成されている。ディスプレイ部６が開状態となると、開口部１５Ａが挿排口９Ａの上方に位置し、開口部１５Ｂが挿排口９Ｂの上方に位置するようになっている。開口部１５Ａ，１５Ｂには、ＬＥＤライト１３から放出された光を導く導光体１６が嵌め込まれている。ディスプレイ部６の下面１７と導光体１６の下面１８は面一となっている。導光体１６は、導光性を有する合成樹脂で形成されている。
【００１９】
図５に示すように、導光体１６は、ＬＥＤライト１３から光を受ける受光部１６Ａと、操作ボタン１２Ａ，１２Ｂ，１２Ｃ，１２Ｄに光を導くための第一導光部１６Ｂと、ディスプレイ部６の開口部１５Ａ，１５Ｂに光を導くための第二導光部１６Ｃと、を有している。第一導光部１６Ｂと第二導光部１６Ｃは、受光部１６Ａから分岐して形成されており、受光部１６Ａと第一導光部１６Ｂと第二導光部１６Ｃは、一体成型されている。
【００２０】
本実施例では、第一導光部１６Ｂはそれぞれの操作ボタン１２Ａ，１２Ｂ，１２Ｃ，１２Ｄに光を導くため４つに分岐している。また、本実施例では、挿排口９Ａ，９Ｂが２箇所に設けられていため、第二導光部１６Ｃはそれぞれの挿排口９Ａ，９Ｂを照射するように２箇所に設けた開口部１５Ａ，１５Ｂに光を導くため、２つに分岐している。
【００２１】
ＬＥＤライト１３を含むナビゲーション装置１は、車両の常時電源、アクセサリー（ＡＣＣ）電源及びイルミネーション電源に電気的に接続されている。ＬＥＤライト１３は、ＡＣＣ電源がオンになると給電される。ディスプレイ部６が閉状態で、挿排口９Ａ，９Ｂを照明する必要がない場合であっても、ＬＥＤライト１３が点灯した状態では、第二導光部１６Ｃから光が外部に放出されてしまう。そのため、図３及び図４に示すように、本体部４の底部２０の前側に板状の目隠し部材２１を設け、ディスプレイ部６が閉状態となると開口部１５Ａ，１５Ｂが目隠し部材２１により閉塞され、光が遮断されるようにしてもよい。
【００２２】
図６に示すように、制御装置７に設けられた制御部２２は、ＬＥＤライト１３の輝度の切り換えを判断する判定部２３と、ＬＥＤライト１３の輝度を切り換える輝度切換手段２４と、ディスプレイ部６を上下方向に移動させる駆動手段２５と、を備えている。
【００２３】
車幅灯スイッチ２６がオフの状態では、通常、周囲が太陽光等により明るいため、操作ボタン１２Ａ，１２Ｂ，１２Ｃ，１２Ｄ，１２Ｅに付された文字部分は、ＬＥＤライト１３により照明しなくても視認可能であるため、ＬＥＤライト１３は消灯（輝度０）する（図７のＡ欄に示す状態）。車幅灯スイッチ２６がオンの状態では、通常、周囲が暗いため、文字部分を明確に視認できるようにＬＥＤライト１３により照明する必要があるが、周囲が暗いため明るく照明しなくても文字部分を視認可能であるため、ＬＥＤライト１３の輝度を低くする（図７のＣ欄に示す状態）。また、ディスプレイ部６が開状態のときには、挿排口９Ａ，９Ｂを明るく照明する必要があるため、車幅灯スイッチ２６のオン／オフに関わらずＬＥＤライト１３の輝度を高くする（図７のＢ欄及びＤ欄に示す状態）。
【００２４】
図７は、本実施例のＡＣＣ電源がオンのときのＬＥＤライト１３の輝度の状態を示す表である。Ａ欄に示すように、車幅灯スイッチ２６がオフで、ディスプレイ部６が閉状態のときは、ＬＥＤライト１３は消灯し、操作ボタン１２Ａ，１２Ｂ，１２Ｃ，１２Ｄ，１２Ｅは照明されない。なお、挿排口９Ａ，９Ｂは露出していないため照明されない。Ｂ欄に示すように、車幅灯スイッチ２６がオフで、ディスプレイ部６が開状態のときは、ＬＥＤライト１３は輝度が高く点灯し、操作ボタン１２Ａ，１２Ｂ，１２Ｃ，１２Ｄ，１２Ｅ及び挿排口９Ａ，９Ｂは明るく照明される。Ｃ欄に示すように、車幅灯スイッチ２６がオンで、ディスプレイ部６が閉状態のときは、ＬＥＤライト１３は輝度が低く点灯し、操作ボタン１２Ａ，１２Ｂ，１２Ｃ，１２Ｄ，１２Ｅは暗く照明される。なお、挿排口９Ａ，９Ｂは露出していないため照明されない。Ｄ欄に示すように、車幅灯スイッチ２６がオンで、ディスプレイ部６が開状態のときは、ＬＥＤライト１３は輝度が高く点灯し、操作ボタン１２Ａ，１２Ｂ，１２Ｃ，１２Ｄ，１２Ｅ及び挿排口９Ａ，９Ｂは明るく照明される。
【００２５】
判定部２３は、開閉ボタン１２Ａからの開信号／閉信号及び車幅灯スイッチ２６からのオン信号／オフ信号に基づいてＬＥＤライト１３の輝度の切り換えを判定する。具体的には、以下の（１）〜（８）の切り換えパターンを判定する。
（１）Ａ欄に示す状態からＢ欄に示す状態への切り換え
ディスプレイ部６を閉状態から開状態とするため開閉ボタン１２Ａが押動操作されると、開閉ボタン１２Ａから判定部２３に開信号が送信され、判定部２３が輝度を上げるとの判定をする。ＬＥＤライト１３の輝度を上げるとの判定信号が判定部２３から輝度切換手段２４に送信され、輝度切換手段２４からＬＥＤライト１３に対して輝度を上げる切換信号が送信され、ＬＥＤライト１３の輝度が０から高い状態に切り換わる。
（２）Ａ欄に示す状態からＣ欄に示す状態への切り換え
車幅灯スイッチ２６がオフの状態からオンの状態にされると、車幅灯スイッチ２６から判定部２３にオン信号が送信され、判定部２３が輝度を上げるとの判定をする。ＬＥＤライト１３の輝度を上げるとの判定信号が判定部２３から輝度切換手段２４に送信され、輝度切換手段２４からＬＥＤライト１３に対して輝度を上げる切換信号が送信され、ＬＥＤライト１３の輝度が０から低い状態に切り換わる。
（３）Ｂ欄に示す状態からＡ欄に示す状態への切り換え
ディスプレイ部６を開状態から閉状態とするため開閉ボタン１２Ａが押動操作されると、開閉ボタン１２Ａから判定部２３に閉信号が送信され、判定部２３が輝度を下げるとの判定をする。ＬＥＤライト１３の輝度を下げるとの判定信号が判定部２３から輝度切換手段２４に送信され、輝度切換手段２４からＬＥＤライト１３に対して輝度を下げる切換信号が送信され、ＬＥＤライト１３の輝度が高い状態から０に切り換わる。
（４）Ｂ欄に示す状態からＤ欄に示す状態への切り換え
車幅灯スイッチ２６がオフの状態からオンの状態にされると、車幅灯スイッチ２６から判定部２３にオン信号が送信され、判定部２３が輝度を維持するとの判定をする。ＬＥＤライト１３の輝度を維持するとの判定信号が判定部２３から輝度切換手段２４に送信され、輝度切換手段２４からＬＥＤライト１３に対して輝度を維持する切換信号が送信され、ＬＥＤライト１３の輝度が高い状態で維持される。
（５）Ｃ欄に示す状態からＡ欄に示す状態への切り換え
車幅灯スイッチ２６がオンの状態からオフの状態にされると、車幅灯スイッチ２６から判定部２３にオフ信号が送信され、判定部２３が輝度を下げるとの判定をする。ＬＥＤライト１３の輝度を下げるとの判定信号が判定部２３から輝度切換手段２４に送信され、輝度切換手段２４からＬＥＤライト１３に対して輝度を下げる切換信号が送信され、ＬＥＤライト１３の輝度が低い状態から０に切り換わる。
（６）Ｃ欄に示す状態からＤ欄に示す状態への切り換え
ディスプレイ部６を閉状態から開状態とするため開閉ボタン１２Ａが押動操作されると、開閉ボタン１２Ａから判定部２３に開信号が送信され、判定部２３が輝度を上げるとの判定をする。ＬＥＤライト１３の輝度を上げるとの判定信号が判定部２３から輝度切換手段２４に送信され、輝度切換手段２４からＬＥＤライト１３に対して輝度を上げる切換信号が送信され、ＬＥＤライト１３の輝度が低い状態から高い状態に切り換わる。
（７）Ｄ欄に示す状態からＢ欄に示す状態への切り換え
車幅灯スイッチ２６がオンの状態からオフの状態にされると、車幅灯スイッチ２６から判定部２３にオフ信号が送信され、判定部２３が輝度を維持するとの判定をする。ＬＥＤライト１３の輝度を維持するとの判定信号が判定部２３から輝度切換手段２４に送信され、輝度切換手段２４からＬＥＤライト１３に対して輝度を維持する切換信号が送信され、ＬＥＤライト１３の輝度が高い状態で維持される。
（８）Ｄ欄に示す状態からＣ欄に示す状態への切り換え
ディスプレイ部６を開状態から閉状態とするため開閉ボタン１２Ａが押動操作されると、開閉ボタン１２Ａから判定部２３に閉信号が送信され、判定部２３が輝度を下げるとの判定をする。ＬＥＤライト１３の輝度を下げるとの判定信号が判定部２３から輝度切換手段２４に送信され、輝度切換手段２４からＬＥＤライト１３に対して輝度を下げる切換信号が送信され、ＬＥＤライト１３の輝度が高い状態から低い状態に切り換わる。
【００２６】
輝度切換手段２４は、上述のとおり、判定部２３からの判定信号に基づいて、ＬＥＤライト１３に対して輝度を上げ下げ又は維持する切換信号を送出し、ＬＥＤライト１３の輝度を切り換える。
【００２７】
駆動手段２５は、使用者の開閉ボタン１２Ａの押動操作により送信される開信号又は閉信号に基づいてディスプレイ部６を上下方向に移動させ、開状態又は閉状態に切り換える。閉状態から開閉ボタン１２Ａを押動操作するとディスプレイ部６が上側に移動し、開状態で停止する。また、開状態から開閉ボタン１２Ａを押動操作するとディスプレイ部６が下側に移動し、閉状態で停止する。
【００２８】
以上のように、本実施例のナビゲーション装置１は、本体部４と、本体部４の正面部５にスライド可能に設けられたディスプレイ部６と、を有し、ディスプレイ部６がスライドすることで本体部４に設けられたディスク８用の挿排口９Ａ，９Ｂが露出するナビゲーション装置１であって、ディスプレイ部６のバックライトであるＬＥＤライト１３と、導光体１６と、を備え、ＬＥＤライト１３から放出された光が導光体１６内を通過し、露出した挿排口９Ａ，９Ｂを照明することにより、新たな光源を設けることなく、露出した挿排口９Ａ，９Ｂを照明することができる。そのため、周囲が暗い場合であっても、挿排口９Ａ，９Ｂを視認することができる。
【００２９】
また、本実施例のナビゲーション装置１は、導光体１６が、ディスプレイ部６方向と、挿排口９Ａ，９Ｂ方向に分岐していることにより、ＬＥＤライト１３から放出される光をディスプレイ部６のバックライトと、挿排口９Ａ，９Ｂの照明として使用することができる。
【００３０】
また、本実施例では、操作ボタン１２Ａ，１２Ｂ，１２Ｃ，１２Ｄが枠体１０の下部、すなわち、挿排口９Ａ，９Ｂが露出する側に設けられているため、ディスプレイ部６を開状態としたときに、操作ボタン１２Ａ，１２Ｂ，１２Ｃ，１２Ｄと挿排口９Ａ，９Ｂとの距離が近い。そのため、操作ボタン１２Ａ，１２Ｂ，１２Ｃ，１２Ｄを照明するＬＥＤライト１３と挿排口９Ａ，９Ｂとの距離も近いため、ＬＥＤライト１３の光を導く導光体１６の大きさを必要最小限とすることができる。
【実施例２】
【００３１】
図８は、本発明の実施例２を示し、上記実施例１と同一部分に同一符号を付し、その詳細な説明を省略して詳述する。本実施例は、操作部である操作ボタン１２Ａ，１２Ｂ，１２Ｃ，１２Ｄ，１２Ｅを枠体１０であって、表示部１１の右側に縦に並べて設けたものである。本実施例の操作ボタン１２Ａ，１２Ｂ，１２Ｃ，１２Ｄ，１２Ｅは、いわゆるハードキーであり、押動操作による入力機能を有する。
【００３２】
本実施例のＬＥＤライト１３は、各操作ボタン１２Ａ，１２Ｂ，１２Ｃ，１２Ｄ，１２Ｅを照明するため、５つ設けられている。操作ボタン１２Ａ，１２Ｂ，１２Ｃ，１２Ｄは、直接ＬＥＤライト１３の光により照明され、操作ボタン１２Ｅは、導光体１６により導かれたＬＥＤライト１３の光により照明される。
【００３３】
上記実施例１と同様に、ディスプレイ部６の底面部１４には、ＬＥＤライト１３から放出された光をディスプレイ部６の外部下方向に放出するための開口部１５Ａ，１５Ｂが２箇所に形成されている。ディスプレイ部６が開状態となると、開口部１５Ａが挿排口９Ａの上方に位置し、開口部１５Ｂが挿排口９Ｂの上方に位置するようになっている。開口部１５Ａ，１５Ｂには、ＬＥＤライト１３から放出された光を導く導光体１６が嵌め込まれている。ディスプレイ部６の下面１７と導光体１６の下面１８は面一となっている。導光体１６は、導光性を有する合成樹脂で形成されている。
【００３４】
導光体１６は、ＬＥＤライト１３から光を受ける受光部１６Ａと、操作ボタン１２Ｅに光を導くための第一導光部１６Ｂと、ディスプレイ部６の開口部１５Ａ，１５Ｂに光を導くための第二導光部１６Ｃと、を有している。第一導光部１６Ｂと第二導光部１６Ｃは、受光部１６Ａから分岐して形成されており、受光部１６Ａと第一導光部１６Ｂと第二導光部１６Ｃは、一体成型されている。第二導光部１６Ｃは、それぞれの挿排口９Ａ，９Ｂを照射するように２箇所に設けた開口部１５Ａ，１５Ｂに光を導くため、２つに分岐している。
【００３５】
本実施例では、操作ボタン１２Ａ，１２Ｂ，１２Ｃ，１２Ｄ，１２Ｅの配置が上記実施例１と異なり、それに伴って導光体１６の形状も実施例１と異なるが、ＬＥＤライト１３の輝度の制御は、実施例１と同様である。図８は、ディスプレイ部６の開状態を示している。
【００３６】
本実施例では、操作ボタン１２Ａ，１２Ｂ，１２Ｃ，１２Ｄ，１２Ｅのうち、挿排口９Ａ，９Ｂが露出したときに最も挿排口９Ａ，９Ｂに近い操作ボタン１２Ｅを照明するＬＥＤライト１３の光を導光体１６により導いて挿排口９Ａ，９Ｂを照明する構成としているため、導光体１６の大きさを必要最小限とすることができる。
【実施例３】
【００３７】
図９は、本発明の実施例３を示し、上記実施例１及び実施例２と同一部分に同一符号を付し、その詳細な説明を省略して詳述する。本実施例は、操作部である操作ボタン１２Ａ，１２Ｂ，１２Ｃ，１２Ｄ，１２Ｅを液晶タッチパネル、すなわちソフトキーとしたものである。図９は、ディスプレイ部６の開状態を示している。
【００３８】
本実施例の操作ボタン１２Ａ，１２Ｂ，１２Ｃ，１２Ｄ，１２Ｅは、表示部１１の下部に左右方向（横方向）に並んで表示されている。本実施例のディスプレイ部６は、操作ボタン１２Ａ，１２Ｂ，１２Ｃ，１２Ｄ，１２Ｅを照明するバックライトとしての光源のであるＬＥＤライト１３と、表示部１１の操作ボタン１２Ａ，１２Ｂ，１２Ｃ，１２Ｄ，１２Ｅを表示する部分（以下、操作表示部という。）以外の部分である地図等を表示する部分（以下、情報表示部という。）を照明するＬＥＤライト（図示せず）が別個に設けられている。すなわち、ＬＥＤライト１３は光源の一部である。また、ＬＥＤライト１３の光を導く導光体１６と、情報表示部を照明するＬＥＤライトの光を導く導光体も別個に設けられている。そのため、ＬＥＤライト１３の輝度を切り換えると、表示部１１のうち操作表示部の明るさのみが変化する。
【００３９】
上記実施例１と同様に、本実施例のＬＥＤライト１３は、各操作ボタン１２Ａ，１２Ｂ，１２Ｃ，１２Ｄ，１２Ｅを照明するため、５つ設けられている。操作ボタン１２Ａ，１２Ｂ，１２Ｃ，１２Ｄは、導光体１６により導かれたＬＥＤライト１３の光により照明され、操作ボタン１２Ｅは、直接ＬＥＤライト１３の光により照明される。また、本実施例の導光体１６は、ＬＥＤライト１３から光を受ける受光部１６Ａと、操作ボタン１２Ａ，１２Ｂ，１２Ｃ，１２Ｄに光を導くための第一導光部１６Ｂと、ディスプレイ部６の開口部１５Ａ，１５Ｂに光を導くための第二導光部１６Ｃと、を有している。第一導光部１６Ｂと第二導光部１６Ｃは、受光部１６Ａから分岐して形成されており、受光部１６Ａと第一導光部１６Ｂと第二導光部１６Ｃは、一体成型されている。また、第一導光部１６Ｂはそれぞれの操作ボタン１２Ａ，１２Ｂ，１２Ｃ，１２Ｄに光を導くため４つに分岐している。また、本実施例では、挿排口９Ａ，９Ｂが２箇所に設けられていため、第二導光部１６Ｃはそれぞれの挿排口９Ａ，９Ｂを照射するように２箇所に設けた開口部１５Ａ，１５Ｂに光を導くため、２つに分岐している。
【００４０】
本実施例では、開閉ボタン１２Ａをタッチ操作することで、ディスプレイ部６が上側にスライドして開状態となることで挿排口９Ａ，９Ｂが露出し、再度開閉ボタン１２Ａをタッチ操作することで、ディスプレイ部６が下側にスライドして閉状態となり、開状態のときに開口部１５Ａ，１５Ｂから光が放出され挿排口９Ａ，９Ｂを照明するという構成は、上記実施例１及び実施例２と同様である。しかしながら、操作ボタン１２Ａ，１２Ｂ，１２Ｃ，１２Ｄ，１２Ｅをソフトキーとしたことで、ハードキーの場合とＬＥＤライト１３の輝度の切り換え制御について相違点があるため、以下に説明する。
【００４１】
車幅灯スイッチ２６がオフの状態では、通常、周囲が太陽光等により明るいため、操作ボタン１２Ａ，１２Ｂ，１２Ｃ，１２Ｄ，１２Ｅを視認し易くするため、周囲の明るさよりも明るく表示する必要があり、ＬＥＤライト１３の輝度を高くする（図１０のＡ欄に示す状態）。車幅灯スイッチ２６がオンの状態では、通常、周囲が暗いため、操作ボタン１２Ａ，１２Ｂ，１２Ｃ，１２Ｄ，１２Ｅを暗く表示しても視認可能であるため、操作ボタン１２Ａ，１２Ｂ，１２Ｃ，１２Ｄ，１２Ｅを明るく表示する必要はなく、ＬＥＤライト１３の輝度を低くする（図１０のＣ欄に示す状態）。また、ディスプレイ部６が開状態のときには、挿排口９Ａ，９Ｂを明るく照明する必要があるため、車幅灯スイッチ２６のオン／オフに関わらずＬＥＤライト１３の輝度を高くする（図１０のＢ欄及びＤ欄に示す状態）。
【００４２】
図１０は、本実施例のＡＣＣ電源がオンのときのＬＥＤライト１３の輝度の状態を示す表である。Ａ欄に示すように、車幅灯スイッチ２６がオフで、ディスプレイ部６が閉状態のときは、ＬＥＤライト１３は輝度が高く点灯し、操作ボタン１２Ａ，１２Ｂ，１２Ｃ，１２Ｄ，１２Ｅは明るく照明される。なお、挿排口９Ａ，９Ｂは露出していないため照明されない。Ｂ欄に示すように、車幅灯スイッチ２６がオフで、ディスプレイ部６が開状態のときは、ＬＥＤライト１３は輝度が高く点灯し、操作ボタン１２Ａ，１２Ｂ，１２Ｃ，１２Ｄ，１２Ｅ及び挿排口９Ａ，９Ｂは明るく照明される。Ｃ欄に示すように、車幅灯スイッチ２６がオンで、ディスプレイ部６が閉状態のときは、ＬＥＤライト１３は輝度が低く点灯し、操作ボタン１２Ａ，１２Ｂ，１２Ｃ，１２Ｄ，１２Ｅは暗く照明される。なお、挿排口９Ａ，９Ｂは露出していないため照明されない。Ｄ欄に示すように、車幅灯スイッチ２６がオンで、ディスプレイ部６が開状態のときは、ＬＥＤライト１３は輝度が高く点灯し、操作ボタン１２Ａ，１２Ｂ，１２Ｃ，１２Ｄ，１２Ｅ及び挿排口９Ａ，９Ｂは明るく照明される。
【００４３】
判定部２３は、開閉ボタン１２Ａからの開信号／閉信号及び車幅灯スイッチ２６からのオン信号／オフ信号に基づいてＬＥＤライト１３の輝度の切り換えを判定する。具体的には、以下の（１）〜（８）の切り換えパターンを判定する。
（１）Ａ欄に示す状態からＢ欄に示す状態への切り換え
ディスプレイ部６を閉状態から開状態とするため開閉ボタン１２Ａが押動操作されると、開閉ボタン１２Ａから判定部２３に開信号が送信され、判定部２３が輝度を維持するとの判定をする。ＬＥＤライト１３の輝度を維持するとの判定信号が判定部２３から輝度切換手段２４に送信され、輝度切換手段２４からＬＥＤライト１３に対して輝度を維持する切換信号が送信され、ＬＥＤライト１３の輝度が高い状態で維持される。
（２）Ａ欄に示す状態からＣ欄に示す状態への切り換え
車幅灯スイッチ２６がオフの状態からオンの状態にされると、車幅灯スイッチ２６から判定部２３にオン信号が送信され、判定部２３が輝度を下げるとの判定をする。ＬＥＤライト１３の輝度を下げるとの判定信号が判定部２３から輝度切換手段２４に送信され、輝度切換手段２４からＬＥＤライト１３に対して輝度を下げる切換信号が送信され、ＬＥＤライト１３の輝度が高い状態から低い状態に切り換わる。
（３）Ｂ欄に示す状態からＡ欄に示す状態への切り換え
ディスプレイ部６を開状態から閉状態とするため開閉ボタン１２Ａが押動操作されると、開閉ボタン１２Ａから判定部２３に閉信号が送信され、判定部２３が輝度を維持するとの判定をする。ＬＥＤライト１３の輝度を維持するとの判定信号が判定部２３から輝度切換手段２４に送信され、輝度切換手段２４からＬＥＤライト１３に対して輝度を維持する切換信号が送信され、ＬＥＤライト１３の輝度が高い状態で維持される。
（４）Ｂ欄に示す状態からＤ欄に示す状態への切り換え
車幅灯スイッチ２６がオフの状態からオンの状態にされると、車幅灯スイッチ２６から判定部２３にオン信号が送信され、判定部２３が輝度を維持するとの判定をする。ＬＥＤライト１３の輝度を維持するとの判定信号が判定部２３から輝度切換手段２４に送信され、輝度切換手段２４からＬＥＤライト１３に対して輝度を維持する切換信号が送信され、ＬＥＤライト１３の輝度が高い状態で維持される。
（５）Ｃ欄に示す状態からＡ欄に示す状態への切り換え
車幅灯スイッチ２６がオンの状態からオフの状態にされると、車幅灯スイッチ２６から判定部２３にオフ信号が送信され、判定部２３が輝度を上げるとの判定をする。ＬＥＤライト１３の輝度を上げるとの判定信号が判定部２３から輝度切換手段２４に送信され、輝度切換手段２４からＬＥＤライト１３に対して輝度を上げる切換信号が送信され、ＬＥＤライト１３の輝度が低い状態から高い状態に切り換わる。
（６）Ｃ欄に示す状態からＤ欄に示す状態への切り換え
ディスプレイ部６を閉状態から開状態とするため開閉ボタン１２Ａが押動操作されると、開閉ボタン１２Ａから判定部２３に開信号が送信され、判定部２３が輝度を上げるとの判定をする。ＬＥＤライト１３の輝度を上げるとの判定信号が判定部２３から輝度切換手段２４に送信され、輝度切換手段２４からＬＥＤライト１３に対して輝度を上げる切換信号が送信され、ＬＥＤライト１３の輝度が低い状態から高い状態に切り換わる。
（７）Ｄ欄に示す状態からＢ欄に示す状態への切り換え
車幅灯スイッチ２６がオンの状態からオフの状態にされると、車幅灯スイッチ２６から判定部２３にオフ信号が送信され、判定部２３が輝度を維持するとの判定をする。ＬＥＤライト１３の輝度を維持するとの判定信号が判定部２３から輝度切換手段２４に送信され、輝度切換手段２４からＬＥＤライト１３に対して輝度を維持する切換信号が送信され、ＬＥＤライト１３の輝度が高い状態で維持される。
（８）Ｄ欄に示す状態からＣ欄に示す状態への切り換え
ディスプレイ部６を開状態から閉状態とするため開閉ボタン１２Ａが押動操作されると、開閉ボタン１２Ａから判定部２３に閉信号が送信され、判定部２３が輝度を下げるとの判定をする。ＬＥＤライト１３の輝度を下げるとの判定信号が判定部２３から輝度切換手段２４に送信され、輝度切換手段２４からＬＥＤライト１３に対して輝度を下げる切換信号が送信され、ＬＥＤライト１３の輝度が高い状態から低い状態に切り換わる。
【００４４】
以上のように、本実施例のナビゲーション装置１は、本体部４と、本体部４の正面部５にスライド可能に設けられたディスプレイ部６と、を有し、ディスプレイ部６がスライドすることで本体部４に設けられたディスク８用の挿排口９Ａ，９Ｂが露出するナビゲーション装置１であって、ディスプレイ部６のバックライトであるＬＥＤライト１３と、導光体１６と、を備え、ＬＥＤライト１３から放出された光が導光体１６内を通過し、露出した挿排口９Ａ，９Ｂを照明することにより、新たな光源を設けることなく、露出した挿排口９Ａ，９Ｂを照明することができる。そのため、周囲が暗い場合であっても、挿排口９Ａ，９Ｂを視認することができる。
【００４５】
また、本実施例のナビゲーション装置１は、導光体１６が、ディスプレイ部６方向と、挿排口９Ａ，９Ｂ方向に分岐していることにより、ＬＥＤライト１３から放出される光をディスプレイ部６のバックライトと、挿排口９Ａ，９Ｂの照明として使用することができる。
【００４６】
また、本実施例では、操作ボタン１２Ａ，１２Ｂ，１２Ｃ，１２Ｄが表示部１１の下部、すなわち、挿排口９Ａ，９Ｂが露出する側に設けられているため、ディスプレイ部６を開状態としたときに、操作ボタン１２Ａ，１２Ｂ，１２Ｃ，１２Ｄと挿排口９Ａ，９Ｂとの距離が近い。そのため、操作ボタン１２Ａ，１２Ｂ，１２Ｃ，１２Ｄを照明するＬＥＤライト１３と挿排口９Ａ，９Ｂとの距離も近いため、ＬＥＤライト１３の光を導く導光体１６の大きさを必要最小限とすることができる。
【００４７】
このように、操作ボタン１２Ａ，１２Ｂ，１２Ｃ，１２Ｄ，１２Ｅをソフトキーとした場合であっても、操作ボタン１２Ａ，１２Ｂ，１２Ｃ，１２Ｄ，１２Ｅをハードキーとした実施例１と同様の効果を発揮することができる。
【００４８】
なお、本発明は上記実施例に限定されるものではなく、本発明の要旨の範囲内において、種々の変形実施が可能である。例えば、上記実施例では、パネルディスプレイが上側に移動することで挿排口が露出するものであるが、パネルディスプレイが下側、左側、右側等、他の方向に直線的にスライドすることで挿排口が露出する構成としてもよい。また、光源の位置や導光体の形状は適宜変更可能である。
【符号の説明】
【００４９】
２  ナビゲーション装置（車載用電子機器）
４  本体部
５  正面部
６  ディスプレイ部
８  ディスク（記憶媒体）
９Ａ  挿排口
９Ｂ  挿排口
１３  ＬＥＤライト（光源）
１６  導光体
【図１】
2020157885.tif 000003
【図２】
2020157885.tif 000004
【図３】
2020157885.tif 000005
【図４】
2020157885.tif 000006
【図５】
2020157885.tif 000007
【図６】
2020157885.tif 000008
【図７】
2020157885.tif 000009
【図８】
2020157885.tif 000010
【図９】
2020157885.tif 000011
【図１０】
2020157885.tif 000012